(57)【要約】【課題】  被測定物の表面温度を正確に検出できる放射温度計を提供する。【解決手段】  被測定物としてのスチームトラップ１から放射される赤外線を検出する赤外線センサ１４と、赤外線センサ１４からの検出値を基にスチームトラップ１の表面温度を演算出力する演算部表示器１３と、少なくとも赤外線センサ１４が配設された放射温度計１０のプローブ１１と、赤外線センサ１４の周囲を囲ってプローブ１１に着脱されスチームトラップ１方向に伸縮可能なゴム製の遮蔽筒８と、を具備する。遮蔽筒８は徐々に直径の異なる複数個の筒８ａ，８ｂ，８ｃ，８ｄを連結して伸縮可能に形成している。図１は遮蔽筒８の筒８ａ，８ｂ，８ｃ，８ｄを伸ばした状態である。遮蔽筒８を伸ばすことにより、スチームトラップ１の周囲に配設されている高温物から発せられる赤外線を遮蔽することができ、スチームトラップ１の表面温度を正確に検出できる。【選択図】      図１
2009121982.tif 000002
【特許請求の範囲】
【請求項１】
被測定物から放射される赤外線を検出する赤外線センサと、当該赤外線センサからの検出値を基に被測定物の表面温度を演算出力する演算部と、少なくとも前記赤外線センサが配設されたプローブと、前記赤外線センサの周囲を囲って前記プローブに着脱され被測定物方向に伸縮可能な遮蔽筒と、を具備した、放射温度計。
【発明の詳細な説明】
【技術分野】
【０００１】
本発明は、被測定物の表面温度を非接触で検出することのできる放射温度計に関し、特に、被測定物の正確な表面温度を出力することができるものに関する。
【背景技術】
【０００２】
放射温度計は、熱を有するあらゆる物体から放射される赤外線を検出して、物体外表面の温度を非接触で遠隔から検出することができるものであり、近年各種の用途に用いられるようになってきた。従来の放射温度計として、例えば特開２００１−２７５６８に示されたものがある。これは、被測定物から放射される赤外線を検出する赤外線センサと、当該赤外線センサからの検出値を基に被測定物の表面温度を演算出力する演算部と、少なくとも前記赤外線センサが配設されたプローブと、を具備したものである。
【０００３】
上記従来の放射温度計では、被測定物の周囲に被測定物よりも高温物が配置されていると被測定物の表面温度を正確に検出できない問題点があった。これは、被測定物の周囲に配置されている高温物から発せられる赤外線も直接にあるいは被測定物で反射して検出してしまうためである。
【特許文献１】特開２００１−２７５６８
【発明の開示】
【発明が解決しようとする課題】
【０００４】
解決しようとする課題は、被測定物の表面温度を正確に検出できる放射温度計を提供することである。
【課題を解決するための手段】
【０００５】
上記の課題を解決するために講じた本発明の技術的手段は、被測定物から放射される赤外線を検出する赤外線センサと、当該赤外線センサからの検出値を基に被測定物の表面温度を演算出力する演算部と、少なくとも前記赤外線センサが配設されたプローブと、前記赤外線センサの周囲を囲って前記プローブに着脱され被測定物方向に伸縮可能な遮蔽筒と、を具備した、放射温度計にある。
【発明の効果】
【０００６】
本発明は、赤外線センサの周囲を囲い被測定物方向に伸縮可能な遮蔽筒をプローブに取付けることにより、被測定物の周囲に配設されている高温物から発せられる赤外線が赤外線センサに達するのを防止することができるので、被測定物の表面温度を正確に検出できるという優れた効果を生じる。
【発明を実施するための最良の形態】
【０００７】
本発明の放射温度計は、赤外線センサの周囲を囲ってプローブに着脱され被測定物方向に伸縮可能な遮蔽筒を具備したものである。そのため、赤外線センサの周囲を囲い被測定物方向に伸縮可能な遮蔽筒をプローブに取付けることにより、被測定物の周囲に配設されている高温物から発せられる赤外線が赤外線センサに達するのを防止することができる。そのため、被測定物の表面温度を正確に検出できる。
【実施例１】
【０００８】
上記の技術的手段の具体例を示す実施例を説明する（図１参照）。本実施例においては、被測定物をスチームトラップ１として、このスチームトラップ１の作動判定装置２に放射温度計１０を適用した例を説明する。図１において、蒸気供給管３に圧力制御弁４を介して接続した蒸気使用装置５の下部出口側にスチームトラップ１を取付ける。スチームトラップ１には、蒸気使用装置５内で発生した蒸気の凝縮水としての復水が一部蒸気をも混合して流入する。スチームトラップ１が正常であれば、出口配管６からは復水のみが排出され、蒸気使用装置５側の蒸気が漏洩することはないものである。
【０００９】
作動判定装置２を、放射温度計１０と演算表示器１３で構成する。被測定物としてのスチームトラップ１の側方に放射温度計１０のプローブ１１を配置する。プローブ１１には先端に赤外線センサ１４と振動検出棒９が配設してある。本実施例においては、スチームトラップ１の表面温度を赤外線センサ１４で検出すると共に、振動検出棒９でスチームトラップ１内で生じている振動も検出することにより、スチームトラップ１の作動状態の良否を判定する例を示す。赤外線センサ１４は、スチームトラップ１の表面からその温度に応じて発せられる赤外線を検出して電気信号に変換する。赤外線センサ１４の周囲を囲ってプローブ１１に着脱されるゴム製の遮蔽筒８を嵌め合わせて取付ける。遮蔽筒８は徐々に直径の異なる複数個の筒８ａ，８ｂ，８ｃ，８ｄを連結して伸縮可能に形成している。図１は遮蔽筒８の筒８ａ，８ｂ，８ｃ，８ｄを伸ばした状態である。
【００１０】
プローブ１１の振動検出棒９の先端をスチームトラップ１の入口部７に当接すると共に、遮蔽筒８の筒８ａ，８ｂ，８ｃ，８ｄを伸ばして筒８ｄの先端をスチームトラップ１の入口部７に当接する。温度に応じた電気信号はプローブ１１内で検波したり増幅したりして接続線１２を介して演算表示器１３に送られる。振動検出棒９で検出した振動値も同様に演算表示器１３に送られる。遮蔽筒８を伸ばすことにより、スチームトラップ１の周囲に配設されている高温物から発せられる赤外線を遮蔽することができ、スチームトラップ１の表面温度を正確に検出できる。
【００１１】
演算表示器１３は、スチームトラップ１の入口部７の色又は形状又は表面粗さ又は反射率等の測定条件を入力することのできるキーボード１６と、表示部１５を備えて、内部には図示はしていないが演算部や記憶部等を設けたものである。記憶部内には、入口部７の色や形状等の測定条件に基づく温度実測値と真値の関係を予め記憶しておく。
【００１２】
スチームトラップ１の作動を判定する場合、放射温度計１０により検出した入口部７の表面温度を記憶部の関係から真値に補正した温度値と、振動検出棒９で検出したスチームトラップ１の振動値から、スチームトラップ１が正常に作動しているのか否かを判定できる。本実施例においては、スチームトラップ１の表面温度を測定して、その作動の良否を判定する例を示したが、その他のバルブや回転機械や往復動機械等の表面温度も同様に測定することができる。
【図面の簡単な説明】
【００１３】
【図１】本発明の実施例の放射温度計を用いたスチームトラップの作動判定装置の全体構成図。
【符号の説明】
【００１４】
１  スチームトラップ
２  作動判定装置
５  蒸気使用装置
７  入口部
８  遮蔽筒
９  振動検出棒
１０  放射温度計
１１  プローブ
１３  演算表示器
１４  赤外線センサ
【図１】
2009121982.tif 000003